(57)【要約】    【課題】  運搬，施工コストの削減を可能とし、表裏両面により異なる外観を得ることができるコンクリート擁壁用ブロックと擁壁を提供する。    【解決手段】  平板状の本体２に複数の縦リブ３，４を設けると共に、その縦リブ３，４に連結手段21を挿入する縦孔５を設ける。その縦リブ３は本体２の幅方向端部に設けられ、幅方向に隣り合うブロック１，１の縦リブ３，３同士が当接する当接端面３Ａ，３Ａを有する。ブロック１を左右方向に並設されると共に上下に重ね合わせて立壁部102を形成することにより、個々のブロック１は小型のもので済み、運搬・施工を容易に行うことができる。ブロック１の他側面を外側にすれば、平坦な他側面が連続した平坦面をなす立壁部102を構築でき、一方、ブロック１の一側面を外側にすれば、平坦面の間に上下に縦リブ３，３，４が現れた外観をなし、両面使用可能となる。【選択図】      図１
2005097948.tif 000002
【特許請求の範囲】
【請求項１】
左右方向に並設されると共に上下に重ね合わせたプレキャストコンクリート製のブロックを上下方向の連結手段により連結して立壁部を形成する擁壁用ブロックにおいて、平板状の本体の一側面に縦リブを設け、前記連結手段を挿入する縦孔を備えることを特徴とするコンクリート擁壁用ブロック。
【請求項２】
左右方向に並設されると共に上下に重ね合わせたプレキャストコンクリート製のブロックを上下方向の連結手段により連結して立壁部を形成する擁壁用ブロックにおいて、平板状の本体の一側面に複数の縦リブを設けると共に、その縦リブに前記連結手段を挿入する縦孔を設け、前記縦リブは前記本体の幅方向端部に設けられ、幅方向に隣り合う前記ブロックの縦リブ同士が当接する当接端面を有し、上下に重なり合う前記ブロックの縦リブ同志が重なり合うする重合上下面を有することを特徴とするコンクリート擁壁用ブロック。
【請求項３】
前記本体の中央側に中央側縦リブを設け、この中央側縦リブの幅が幅方向端部の縦リブの幅の約２倍であることを特徴とする請求項２記載のコンクリート擁壁用ブロック。
【請求項４】
請求項１〜３のいずれか１項に記載の立壁部を備えた擁壁において、前記ブロックの前記一側面と他側面とを選択的に立壁部の表面側に向けて前記立壁部を形成したことを特徴とする擁壁。
【請求項５】
請求項１〜３のいずれか１項に記載の立壁部を備えた擁壁において、前記立壁部の上のブロックは下のブロックより本体が薄く形成されていることを特徴とする擁壁。
【請求項６】
請求項１〜３のいずれか１項に記載の立壁部を備えた擁壁において、前記立壁部の下部にプレキャストコンクリート製の基礎ブロックを設け、この基礎ブロックに沿って底版部を形成したことを特徴とする擁壁。
【請求項７】
前記底版部を前記立壁部に用いたブロックにより形成したことを特徴とする請求項６記載の擁壁。
【発明の詳細な説明】
【技術分野】
【０００１】
本発明は、左右方向に並設されると共に上下に重ね合わせたプレキャストコンクリート製のブロックにより立壁部を形成するコンクリート擁壁用ブロックと擁壁に関するものである。
【背景技術】
【０００２】
従来、この種のものとして、縦壁と底壁とがＬ字状に連接されると共に、隣接する擁壁とボルト締結される控壁が少なくとも両端部に一体的に形成された擁壁（例えば特許文献１）や、立壁部と底版部を有する大型のＬ型擁壁ブロックで、前記底版部の上部と前記立壁部の後部とを連結する控壁とを有するもの（例えば特許文献２）などが知られている。
【０００３】
また、上記のようなＬ型擁壁では、道路運搬などにより寸法の制限を受けるため、擁壁を分割したものが提案されており、一例として、底版用と前壁用とに分割した一対のリブ構造のプレキャスト鉄筋コンクリート製品を生産し、リブ内に挿通したＰＣ鋼棒をリブの端めに定着して両者を連結する擁壁（例えば特許文献３）や、一方、一般のコンクリート壁において、上下にブロックを重ね合わせ、異形鉄筋で連結するもの（例えば特許文献４）がある。
【０００４】
上記特許文献３の擁壁では、底版と前壁とを分割し、ＰＣ鋼棒で連結することにより、組立作業の簡略化と効率化を図ることができ、従来の問題を解決できるが、分割した前壁の寸法が大きくなると、運搬や据付に制限を受ける場合がある。
【０００５】
一方、特許文献４のものでは、ブロックを重ねあわせることにより、ブロック単体の小型化可能となる。しかし、同じ形の平板状ブロックを用いており、そのブロックが立壁の下部の加わる土圧に基く肉厚を必要とするため、立壁部上側のブロックは構造上余分な厚さ部分を持つことになり、不経済であると共に、軽量化の妨げにもなる。さらに、前記平板状ブロックは前後面が同一形状に形成されているから、前後の向きを考慮せずに重ね合わせて立壁部を構築することができるが、外部に現れる立壁部の前面が単調となる面がある。
【特許文献１】特開昭６２−２８８２２１号公報
【特許文献２】特開昭５８−２１８５２３号公報
【特許文献３】特開平１０−１７６３３８号公報
【特許文献４】特開２００１−３３６１６３号公報
【発明の開示】
【発明が解決しようとする課題】
【０００６】
そこで、本発明は、運搬，施工コストの削減を可能とし、表裏両面により異なる外観を得ることができるコンクリート擁壁用ブロックと擁壁を提供することを目的とする。
【課題を解決するための手段】
【０００７】
請求項１の発明は、左右方向に並設されると共に上下に重ね合わせたプレキャストコンクリート製のブロックを上下方向の連結手段により連結して立壁部を形成する擁壁用ブロックにおいて、平板状の本体の一側面に縦リブを設け、前記連結手段を挿入する縦孔を備えるものである。
【０００８】
請求項２の発明は、左右方向に並設されると共に上下に重ね合わせたプレキャストコンクリート製のブロックを上下方向の連結手段により連結して立壁部を形成する擁壁用ブロックにおいて、平板状の本体の一側面に複数の縦リブを設けると共に、その縦リブに前記連結手段を挿入する縦孔を設け、前記縦リブは前記本体の幅方向端部に設けられ、幅方向に隣り合う前記ブロックの縦リブ同士が当接する当接端面を有し、上下に重なり合う前記ブロックの縦リブ同志が重なり合うする重合上下面を有するものである。
【０００９】
また、請求項３の発明は、前記本体の中央側に中央側縦リブを設け、この中央側縦リブの幅が幅方向端部の縦リブの幅の約２倍である。
【００１０】
また、請求項４の発明は、請求項１又は２記載の立壁部を備えた擁壁において、前記ブロックの前記一側面と他側面とを選択的に立壁部の表面側に向けて前記立壁部を形成したものである。
【００１１】
また、請求項５の発明は、請求項１又は２記載の立壁部を備えた擁壁において、前記立壁部の上のブロックは下のブロックより本体が薄く形成されているものである。
【００１２】
また、請求項６の発明は、請求項１又は２記載の立壁部を備えた擁壁において、前記立壁部の下部にプレキャストコンクリート製の基礎ブロックを設け、この基礎ブロックに沿って底版部を形成したものである。
【００１３】
また、請求項７の発明は、前記底版部を前記立壁部に用いたブロックにより形成したものである。
【発明の効果】
【００１４】
請求項１のコンクリート擁壁用ブロックによれば、ブロックを左右方向に並設されると共に上下に重ね合わせて立壁部を形成するから、個々のブロックは小型のもので済み、運搬・施工を容易に行うことができる。そして、ブロックの他側面を外側にすれば、平坦な他側面が連続した平坦面をなす立壁部を構築でき、一方、ブロックの一側面を外側にすれば、平坦面の間に上下に縦リブが現れた外観をなし、ブロックの面の位置を選択することにより、異なる外観の立壁部を備えた擁壁を構築できる。したがって、本発明のブロックは両面が使用可能となるという従来にない機能性を有するものになる。
【００１５】
請求項２のコンクリート擁壁用ブロックによれば、ブロックを左右方向に並設されると共に上下に重ね合わせて立壁部を形成するから、個々のブロックは小型のもので済み、運搬・施工を容易に行うことができ、左右方向に並設されると共に上下に重ね合わせて形成した立壁部において、ブロックは、左右方向の隣り合う縦リブ同士が当接し、上下方向に重なり合う縦リブ同士が当接し、上下方向に連続した縦リブ構造となり、この連続した縦リブにより上下のブロックを効果的に一体化することができる。そして、ブロックの他側面を外側にすれば、平坦な他側面が連続した平坦面をなす立壁部を構築でき、一方、ブロックの一側面を外側にすれば、平坦面の間に上下に縦リブが現れた外観をなし、ブロックの面の位置を選択することにより、異なる外観の立壁部を備えた擁壁を構築できる。したがって、本発明のブロックは両面が使用可能となるという従来にない機能性を有するものになる。
【００１６】
また、請求項３のコンクリート擁壁用ブロックによれば、立壁部の一側面において、隣り合う縦リブが当接した部分と、中央側縦リブとがほぼ同一幅となり、両者が同一の外観を表れす。
【００１７】
また、請求項４の擁壁によれば、共通するブロックを用いて、異なる外観を備えた立壁部を得ることができる。
【００１８】
また、請求項５の擁壁によれば、立壁部の背面土圧は上部に向うにしたがって小さくなるから、上のブロックを薄く形成することにより、無駄のない構造を備えた擁壁を構築できる。
【００１９】
また、請求項６の発明によれば、基礎ブロックがプレキャストコンクリート製であるから、強度に優れると共に、施工性の向上を図ることができ、この基礎ブロックに沿って底版部を形成することにより、Ｌ型擁壁を構築できる。
【００２０】
また、請求項７の発明によれば、底版部と立壁部とに用いるブロックを共通化することにより、製品コストや施工管理費などの削減を可能とし、全体的なコストの削減が可能となる。
【発明を実施するための最良の形態】
【００２１】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な構成を採用することにより、従来にない機能を付加したブロックとこれを用い擁壁が得られ、そのブロックと擁壁を夫々記述する。
【実施例１】
【００２２】
以下、本発明の実施形態を添付図面を参照して説明する。図１〜図６は本発明の第１実施例を示す。尚、図１は擁壁101を背面側から見た斜視図であり、その擁壁101の立壁部102を形成するブロック１，１Ａの裏面を一側面（厚さ方向一側面）、表面を他側面（厚さ方向他側面）として説明する。
【００２３】
図１〜図３などに示すように、コンクリート擁壁用ブロック１は、平板状をなす本体２と、この本体２の表裏一側面に設けた複数の端部，中央側縦リブ３，４とを備え、これら縦リブ３，４の高さは本体２と同一である。前記本体２は、擁壁101の立壁部102の幅方向に広い長方形形状をなし、幅が高さのほぼ２倍である。前記端部縦リブ３は、本体２の両端部にそれぞれ設けられ、断面略台形形状をなし、その端部縦リブ３の幅方向端面が当接端面３Ａであり、この当接端面３Ａは本体２の表裏面と直交方向をなし、幅方向に隣り合うブロック１，１を当接端面３Ａ，３Ａ同士が当接する。また、端部縦リブ３は、前記当接端面３Ａの対向する面にテーパ状面３Ｂを備え、このテーパ面３Ｂは端部縦リブ３を本体２の一側に向って狭く形成し、端部縦リブ３の一側面３Ｃは本体２とほぼ平行に形成されている。また、端部縦リブ３の上下には、本体２の上下面と面一な重合上下面３Ｄ，３Ｄが形成されている。前記中央側縦リブ４は、ほぼ２つの端部縦リブ３，３を合わせた形状であり、幅方向両側のテーパ状面４Ｂ，４Ｂと一側面４Ｃとを備える断面略台形形状をなし、それらテーパ状面４Ｂ，４Ｂは中央側縦リブ４を本体２の一側に向って狭く形成し、前記一側面４Ｃは本体２とほぼ平行に形成されいる。また、中央側縦リブ４の上下には、本体２の上下面と面一な重合上下面４Ｄ，４Ｄが形成されいる。尚、ブロック１，１Ａはプレキャストコンクリート製である。
【００２４】
図２に示すように、前記端部縦リブ３には、厚さ方向に並んで縦孔５，５を貫通形成し、これら縦孔５，５の両端部は拡大した段付き孔５Ａ，５Ａになっている。また、中央側縦リブ４には、段付き孔５Ａ，５Ａを幅方向に並んで設け、段付き孔５Ａに対応して厚さ方向に並んだ縦孔５，５を貫通形成している。
【００２５】
図４などに示すように、前記ブロック１Ａは、本体２の幅が前記ブロック１の２分の１でほぼ正方形形状をなし、中央側縦リブ４がない以外はブロック１と同一構成のものである。また、図６に示すように、ブロック１，１Ａの他側面は平坦面であって模様６が形成されている。
【００２６】
前記擁壁101は基礎部103を備え、この基礎部103は立壁部102と底版部104との間に設けられるものであり、プレキャストコンクリート製の基礎ブロック11を擁壁101の幅方向に並べてなる。前記基礎ブロック11は、縦方向の前面12と横方向の底面13とを備える略Ｌ型で、前記ブロック１を載置する上面14と、前記ブロック１を連結する縦方向の後面15とを備える。
【００２７】
この例では、前記底版部104を前記ブロック１，１Ａを擁壁101の幅方向に並べると共に、擁壁101の前後方向に並べて形成しており、前後方向のブロック１，１Ａは縦孔５が前後方向に連続する。
【００２８】
前記立壁部102の前記ブロック１，１Ａを上下方向に連結するために連結手段21を備え、図５に示すように、連結手段21には鉄筋やＰＣ鋼材が用いられる。
【００２９】
次に、前記構成につき、施工例を合わせて説明すると、現場において、基礎を形成し、この基礎は、捨石などの基礎材を敷き均して基礎材層を形成し、この基礎材層の上に現場打ちにより基礎コンクリート層を形成し、この基礎コンクリート層の上に敷きモルタル層を設けて該敷きモルタル層の上面を平坦に形成し、その上に基礎ブロック11，11…を幅方向に並べて基礎部103を形成する。この場合、基礎ブロック11，11…同士を鉄筋やＰＣ鋼材などにより連結してもよい。
【００３０】
前記基礎部103の上面12上に、まず１段目として、隣合う当接端面３Ａ，３Ａ同士が当接するようにしてブロック１，１…を幅方向に並べ、並べたブロック１，１…の端部に前記ブロック１Ａを並べる。この１段目のブロック１，１…の上に、２段目のブロック１，１…を重ね合わせて並べ、この場合、１段目のブロック１，１の合わせ目（当接端面３Ａ，３Ａを当接箇所）を挟んで２段目のブロック１を重ね合わせ、これにより下の段のブロック１において隣合って並んだ端部縦リブ３，３上に、上の段のブロック１の中央側縦リブ４が重なり、すなわち、端部縦リブ３，３の上重合面３Ｄ，３Ｄに中央側縦リブ４の下重合面４Ｄが重なり、上下の縦孔５，５，５，５が連通する位置に合わされる。また、下の段のブロック１の中央側縦リブ４の上に、上の段のブロック１の隣合って並んだ端部縦リブ３，３が重なり、上下の縦孔５，５，５，５が連通する。さらに、２段目のブロック１の上には、同様に３段目のブロック１を幅方向に２分の１ずらして重ねあわせ、各段の端部には必要に応じてブロック１Ａを並べる。そして、上下に連続する縦孔５，５…に連結手段21である鉄筋を挿通し、段付き孔５Ａを含む縦孔５にモルタルなどの充填材（図示せず）を充填してブロック１，１Ａを上下に連結する。この場合、上下のブロック１，１Ａを下部の基礎部103に鉄筋などの基礎連結手段により連結するようにしてもよい。
【００３１】
また、底版部104の施工では、ブロック１，１Ａを用い、立壁部102と同様にしてブロック１，１Ａを幅方向に並べ、前後方向に重ねるようにして並べ、連結手段21により前後方向のブロック１，１Ａを連結する。すなわち、立壁部102ではブロック１，１Ａを上下に重ね合わせたのに対して、底版部104ではブロック１，１Ａを前後に並べる。尚、底版部104においては、ブロック１，１Ａは縦リブ３，４側を上にして並べられる。このように立壁部102は複数のブロック１，１Ａから構成されるから、個々のブロック１，１Ａが小型で済み、運搬及び据付作業を容易に行うことができ、現場によっては大型重機の使用も不要となる。
【００３２】
このようにして構築された擁壁101の背面に埋め戻し材を充填されて埋め戻される。そして、この擁壁101の前面には立壁部102を形成するブロック１，１Ａの模様６を有する平坦面が形成される。一方、図示しないが、ブロック１，１Ａを表裏反対向きにして立壁部102を形成すれば、擁壁101の前面には、縦リブ３，３，４の間に平坦面が現れ、上下に連続する縦リブ３，３，４が柱状の外観を呈したものとなる。
【００３３】
このように本実施例では、請求項１に対応して、左右方向に並設されると共に上下に重ね合わせたプレキャストコンクリート製のブロックを上下方向の連結手段21により連結して立壁部102を形成する擁壁用ブロック１，１Ａにおいて、平板状の本体２の一側面に縦リブ３，４を設け、連結手段21を挿入する縦孔５を備えるものであり、ブロック１，１を左右方向に並設されると共に上下に重ね合わせて立壁部102を形成するから、個々のブロック１は小型のもので済み、運搬・施工を容易に行うことができる。そして、ブロック１の他側面を外側にすれば、平坦な他側面が連続した平坦面をなす立壁部102を構築でき、一方、ブロック１の一側面を外側にすれば、平坦面の間に上下に縦リブ３，３，４が現れた外観をなし、ブロック１の面の位置を選択することにより、異なる外観の立壁部102を備える擁壁101を構築することができる。
【００３４】
このように本実施例では、請求項２に対応して、左右方向に並設されると共に上下に重ね合わせたプレキャストコンクリート製のブロックを上下方向の連結手段21により連結して立壁部102を形成する擁壁用ブロック１，１Ａにおいて、平板状の本体２の一側面に複数の縦リブ３，４を設けると共に、その縦リブ３，４に連結手段21を挿入する縦孔５を設け、縦リブ３は本体２の幅方向端部に設けられ、幅方向に隣り合うブロック１，１の縦リブ３，３同士が当接する当接端面３Ａ，３Ａを有し、上下に重なり合うブロック１，１の縦リブ３，３，４，４同志が重なり合う重合上下面３Ｄ，３Ｄ，４Ｄ，４Ｄを有するから、ブロック１を左右方向に並設されると共に上下に重ね合わせて立壁部102を形成することにより、個々のブロック１は小型のもので済み、運搬・施工を容易に行うことができ、左右方向に並設されると共に上下に重ね合わせて形成した立壁部102において、ブロック１は、左右方向の隣り合う縦リブ３，３同士が当接し、上下方向に重なり合う縦リブ３，３，４同士が当接し、上下方向に連続した縦リブ構造となり、この連続した縦リブ３，３，４により上下のブロック１，１を効果的に一体化することができる。そして、ブロック１の他側面を外側にすれば、平坦な他側面が連続した平坦面をなす立壁部102を構築でき、一方、ブロック１の一側面を外側にすれば、平坦面の間に上下に縦リブ３，３，４が現れた外観をなし、ブロック１の面の位置を選択することにより、異なる外観の立壁部102を備えた擁壁101を構築することができる。
【００３５】
また、このように本実施例では、請求項３に対応して、本体２の中央側に中央側縦リブ４を設け、この中央側縦リブ４の幅が幅方向端部の縦リブ３，３の幅の約２倍であるから、立壁部101の一側面において、隣り合う縦リブ３，３が当接した部分と、中央側縦リブ４とがほぼ同一幅となり、両者が同一の外観を表れす。
【００３６】
また、このように本実施例では、請求項４に対応して、前記立壁部102を備えた擁壁101において、ブロック１の一側面と他側面とを選択的に立壁部102の表面側に向けて立壁部102を形成したから、基本的に共通するブロック１を用いて、異なる外観を備えた立壁部102を得ることができる。
【００３７】
このように本実施例では、請求項６に対応して、立壁部102の下部にプレキャストコンクリート製の基礎ブロック11設け、この基礎ブロック11に沿って底版部104を形成したから、基礎ブロック11がプレキャストコンクリート製であって、強度に優れると共に、施工性の向上を図ることができ、この基礎ブロック11に沿って底版部104を形成することにより、Ｌ型擁壁を構築することができる。
【００３８】
また、このように本実施例では、請求項７に対応して、底版部104を立壁部102に用いたブロック１，２により形成したから、底版部104と立壁部102とに用いるブロック１，１Ａを共通化することにより、製品コストや施工管理費などの削減を可能とし、全体的なコストの削減が可能となる。
【００３９】
また、実施例上の効果として、立壁部102は上下の段で、隣合って並んだ端部縦リブ３，３に中央側縦リブ４が重なるようにブロック１，１Ａを並べたから、端部縦リブ３，３の合わせ目である当接箇所が、上下方向に連続せず、千鳥状に現れるから、並べ方により上下のブロック１，１Ａの一体化され、強度的に構造となる。
【実施例２】
【００４０】
図７〜図１１は本発明の第２実施例を示し、上記第１実施と同一部分に同一符号を付し、その詳細な説明を省略して詳述すると、この例では、立壁部102のブロック１，１Ａは上段のものが下段のものより本体２が薄く形成されている。尚、縦リブ３，４の厚さは全て一定である。尚、ブロック１，１Ａの本体２の厚さは、背面土圧を考慮して設定される。また、この例では、図７に示すように、ブロック１，１Ａは、端部縦リブ３に１個の縦孔５を形成し、中央側縦リブ４の左右に１個ずつの縦孔５を形成している。
【００４１】
また、基礎部103は、プレキャストコンクリート製の平板状の基礎ブロック11Ａを擁壁101の幅方向に並べてなり、また、底版部104は、プレキャストコンクリート製ブロックを並べたり、現場でコンクリートを打設したり、第１実施例と同様にブロック１，１Ａを並べたりして形成される。
【００４２】
したがって、この例では、ブロック１，１Ａの一側面を合わせるようにして重ね合わせ、ブロック１，１Ａの他側面には厚さの違いにより立壁部102に段差部102Ａが現れる。
【００４３】
このように本実施形態では、請求項５に対応して、立壁部102の上のブロック１，１Ａは下のブロック１，１Ａより本体２が薄く形成されており、立壁部102の背面土圧は上部に向うにしたがって小さくなるから、上のブロック１，１Ａを薄く形成することにより、無駄のない構造を備えた擁壁を構築するでき、また、各請求項に対応して、上記第１実施例と同様な作用・効果を奏する。
【実施例３】
【００４４】
図１２〜図１７は本発明の第３実施例を示し、上記各実施と同一部分に同一符号を付し、その詳細な説明を省略して詳述すると、この例では、立壁部102の最上段のブロック１Ｂ，１Ｃは、縦リブのない本体２Ａから構成されている。そのブロック１Ｂは下段のブロック１より厚く形成され、ブロック１Ｂの幅はブロック１と同一で、ブロック１Ｃの幅はブロック１Ａと同一である。また、この例では、ブロック１，１Ａは、端部縦リブ３に１個の縦孔５を形成し、中央側縦リブ４の左右に１個ずつの縦孔５を形成している。そして、ブロック１Ｂ，１Ｃの厚さは、ブロック１，１Ａの本体２と縦リブ３，４とを合わせた厚さより薄く形成されている。また、下のブロック１，１Ａと上のブロック１Ｂ，１Ｃとの間にも段差部102Ａが形成される。
【００４５】
このように背面土圧の小さい最上段又はその近くのブロック１Ｂ，１Ｃを平板状に構成することにより、擁壁全体のコストダウンを図ることができる。
【００４６】
なお、本発明は、前記実施例に限定されるものではなく、種々の変形実施が可能である。例えば、立壁部や底版部に設けるブロックの段数などは適宜選定可能である。
【産業上の利用可能性】
【００４７】
以上のように、本発明のかかるコンクリート擁壁用ブロックと擁壁は、運搬，施工コストの削減を可能とし、表裏両面により異なる外観を得ることができるコンクリート擁壁用ブロックと擁壁を提供することができる。
【図面の簡単な説明】
【００４８】
【図１】本発明の第１実施例を示すブロックの斜視図である。
【図２】同上、ブロックの平面図である。
【図３】同上、ブロックの正面図であり、模様は図示省略している。
【図４】同上、中央側縦リブのないブロックの斜視図である。
【図５】同上、施工中の擁壁の背面側の斜視図である。
【図６】同上、施工中の擁壁の正面側の斜視図である。
【図７】本発明の第２実施例を示すブロックの平面図であり、図７（Ａ）は上段のブロック、図７（Ｂ）は中段のブロック、図７（Ｃ）は下段のブロックを示す。
【図８】同上、施工中の擁壁の背面側の斜視図である。
【図９】同上、施工中の擁壁の正面側の斜視図である。
【図１０】同上、埋め戻し前の擁壁の背面側の斜視図である。
【図１１】同上、埋め戻し前の擁壁の正面側の斜視図である。
【図１２】本発明の第３実施例を示す最上段のブロックの平面図である。
【図１３】同上、ブロックの正面図であり、模様は図示省略している。
【図１４】同上、施工中の擁壁の背面側の斜視図である。
【図１５】同上、施工中の擁壁の正面側の斜視図である。
【図１６】同上、埋め戻し前の擁壁の背面側の斜視図である。
【図１７】同上、埋め戻し前の擁壁の正面側の斜視図である。
【符号の説明】
【００４９】
１  ブロック
２  本体
３  端部縦リブ
３Ａ  当接端面
４  中央側縦リブ
11  基礎ブロック
101  擁壁
102  立壁部
103  基礎部
104  底版部
102Ａ  段差部
【図１】
2005097948.tif 000003
【図２】
2005097948.tif 000004
【図３】
2005097948.tif 000005
【図４】
2005097948.tif 000006
【図５】
2005097948.tif 000007
【図６】
2005097948.tif 000008
【図７】
2005097948.tif 000009
【図８】
2005097948.tif 000010
【図９】
2005097948.tif 000011
【図１０】
2005097948.tif 000012
【図１１】
2005097948.tif 000013
【図１２】
2005097948.tif 000014
【図１３】
2005097948.tif 000015
【図１４】
2005097948.tif 000016
【図１５】
2005097948.tif 000017
【図１６】
2005097948.tif 000018
【図１７】
2005097948.tif 000019